(57)【要約】【課題】カテーテルケースへの導尿用カテーテルの収容およびカテーテルケースからの導尿用カテーテルの取り出しを簡易化して使い勝手を向上させたカテーテルケースを提供する。【解決手段】カテーテルケース１は、導尿を行うための導尿用カテーテル３を収容するケース本体１０と、該ケース本体１０に着脱可能なキャップ２０とから成り、キャップ２０は、導尿用カテーテル３の端部外周に嵌まる嵌合部２２を内部に有し、嵌合部２２は、導尿用カテーテル３を収容したケース本体１０にキャップ２０を装着したときに、導尿用カテーテル３の端部外周に嵌まる位置に形成されている。【選択図】図１
2008212408.tif 000002
【特許請求の範囲】
【請求項１】
導尿を行うための導尿用カテーテルを収容するケース本体と、該ケース本体に着脱可能なキャップとから成るカテーテルケースにおいて、
前記キャップは、前記導尿用カテーテルの端部外周に嵌まる嵌合部を内部に有し、
前記嵌合部は、前記導尿用カテーテルを収容した前記ケース本体に前記キャップを装着したときに、前記導尿用カテーテルの端部外周に嵌まる位置に形成されたことを特徴とするカテーテルケース。
【請求項２】
導尿孔と排尿口とを有し導尿を行うための導尿用カテーテルを収容するカテーテルケースにおいて、
前記導尿用カテーテルを導尿孔側から挿入して収容するケース本体と、該ケース本体に係脱可能なキャップとを備え、
前記キャップは、前記導尿用カテーテルの排尿口側の端部外周に嵌まる嵌合部を内部に有し、
前記嵌合部は、前記導尿用カテーテルを収容した前記ケース本体に前記キャップを係着したときに、前記導尿用カテーテルの排尿口側の端部外周に嵌まる位置に形成されたことを特徴とするカテーテルケース。
【請求項３】
導尿孔と排尿口とが形成され、前記排尿口側にストッパを有する導尿を行うための導尿用カテーテルを収容するカテーテルケースにおいて、
前記導尿用カテーテルを導尿孔側から挿入して収容するケース本体と、該ケース本体に係脱可能なキャップとを備え、
前記ケース本体は、前記導尿用カテーテルの前記ストッパに当接して、前記導尿用カテーテルの挿入を制限して前記排尿口側の端部を露出させる挿入制限部を有し、
前記キャップは、前記導尿用カテーテルの排尿口側の端部外周に嵌まる嵌合部を内部に有し、
前記嵌合部は、前記導尿用カテーテルを収容した前記ケース本体に前記キャップを係着したときに、前記導尿用カテーテルの排尿口側の端部外周に嵌まる位置に形成されたことを特徴とするカテーテルケース。
【請求項４】
前記ケース本体および前記キャップの少なくとも一方の装着部に、前記ケース本体に係着した前記キャップを軸を中心に回転させるよう捩じったときに、該キャップが前記ケース本体の装着部から外れる方向の力を発生させるカム部を有することを特徴とする請求項２または３に記載のカテーテルケース。
【発明の詳細な説明】
【技術分野】
【０００１】
本発明は、導尿を行うための導尿用カテーテルを収容するケース本体と、該ケース本体に着脱可能なキャップとから成るカテーテルケースに関する。
【背景技術】
【０００２】
従来の技術としては、例えば特許文献１に示すようなものがある。  
すなわち、同文献には、導尿用カテーテルを収容する容器本体と、この本体に螺合する蓋とを有し、該蓋の内底には突起部が設けられ、この突起部を導尿用カテーテルの開口部の内部に嵌め込んでから導尿用カテーテルを容器本体に収容することができるようにし、同時に容器本体に収容した導尿用カテーテルの取り出しを容易にした技術が開示されている。
【０００３】
【特許文献１】実公平３−３４１７０号公報
【発明の開示】
【発明が解決しようとする課題】
【０００４】
しかしながら、このような従来の技術では、導尿用カテーテルの収容および取り出しを容易にするためには、予め導尿用カテーテルを蓋の突起部に嵌め込んでから容器本体に収容して蓋をすることが必要であり、さらなる使い勝手の向上が課題として有った。
【０００５】
本発明は、このような従来の技術が有する課題に着目してなされたもので、カテーテルケースへの導尿用カテーテルの収容およびカテーテルケースからの導尿用カテーテルの取り出しを簡易化して使い勝手を向上させたカテーテルケースを提供することを目的としている。
【課題を解決するための手段】
【０００６】
かかる目的を達成するための本発明の要旨とするところは、次の各項の発明に存する。
［１］  導尿を行うための導尿用カテーテル（３）を収容するケース本体（１０）と、該ケース本体（１０）に着脱可能なキャップ（２０）とから成るカテーテルケース（１）において、
前記キャップ（２０）は、前記導尿用カテーテル（３）の端部外周に嵌まる嵌合部（２２）を内部に有し、
前記嵌合部（２２）は、前記導尿用カテーテル（３）を収容した前記ケース本体（１０）に前記キャップ（２０）を装着したときに、前記導尿用カテーテル（３）の端部外周に嵌まる位置に形成されたことを特徴とするカテーテルケース（１）。
【０００７】
［２］  導尿孔（３２）と排尿口（３３）とを有し導尿を行うための導尿用カテーテル（３）を収容するカテーテルケース（１）において、
前記導尿用カテーテル（３）を導尿孔（３２）側から挿入して収容するケース本体（１０）と、該ケース本体（１０）に係脱可能なキャップ（２０）とを備え、
前記キャップ（２０）は、前記導尿用カテーテル（３）の排尿口（３３）側の端部外周に嵌まる嵌合部（２２）を内部に有し、
前記嵌合部（２２）は、前記導尿用カテーテル（３）を収容した前記ケース本体（１０）に前記キャップ（２０）を係着したときに、前記導尿用カテーテル（３）の排尿口（３３）側の端部外周に嵌まる位置に形成されたことを特徴とするカテーテルケース（１）。
【０００８】
［３］  導尿孔（３２）と排尿口（３３）とが形成され、前記排尿口（３３）側にストッパ（３５）を有する導尿を行うための導尿用カテーテル（３）を収容するカテーテルケース（１）において、
前記導尿用カテーテル（３）を導尿孔（３２）側から挿入して収容するケース本体（１０）と、該ケース本体（１０）に係脱可能なキャップ（２０）とを備え、
前記ケース本体（１０）は、前記導尿用カテーテル（３）の前記ストッパ（３５）に当接して、前記導尿用カテーテル（３）の挿入を制限して前記排尿口（３３）側の端部を露出させる挿入制限部（１３）を有し、
前記キャップ（２０）は、前記導尿用カテーテル（３）の排尿口（３３）側の端部外周に嵌まる嵌合部（２２）を内部に有し、
前記嵌合部（２２）は、前記導尿用カテーテル（３）を収容した前記ケース本体（１０）に前記キャップ（２０）を係着したときに、前記導尿用カテーテル（３）の排尿口（３３）側の端部外周に嵌まる位置に形成されたことを特徴とするカテーテルケース（１）。
【０００９】
［４］  前記ケース本体（１０）および前記キャップ（２０）の少なくとも一方の装着部（１１，２１）に、前記ケース本体（１０）に係着した前記キャップ（２０）を軸を中心に回転させるよう捩じったときに、該キャップ（２０）が前記ケース本体（１０）の装着部（１１）から外れる方向の力を発生させるカム部（１４，２４）を有することを特徴とする［２］または［３］に記載のカテーテルケース（１）。
【００１０】
前記本発明は次のように作用する。
導尿用カテーテル（３）をカテーテルケース（１）に収容するときは、ケース本体（１０）に装着されているキャップ（２０）をケース本体（１０）から外す。このとき、キャップ（２０）がケース本体（１０）に係着しており、ケース本体（１０）およびキャップ（２０）の少なくとも一方の装着部（１１，２１）に、カム部（１４，２４）が形成されているものの場合には、ケース本体（１０）に係着したキャップ（２０）をそのカテーテルケース（１）の長手方向の軸線を中心にして回転させるよう捩じればよい。このようにキャップ（２０）を捩じるとカム部（１４，２４）によってキャップ（２０）がケース本体（１０）の装着部（１１）から外れる方向の力が発生するので容易にキャップ（２０）を外すことができる。
【００１１】
キャップ（２０）の内部に形成されている嵌合部（２２）は、キャップ（２０）の中心線方向に向かって突出して形成されており、導尿用カテーテル（３）の端部外周に嵌まるようになっている。この嵌合部（２２）は、キャップ（２０）の中心線方向に向かってキャップ（２０）の内径を小さく絞るように形成してもよい。
【００１２】
この嵌合部（２２）は、導尿用カテーテル（３）を収容したケース本体（１０）にキャップ（２０）を装着したときに、導尿用カテーテル（３）の端部外周に嵌まる位置に形成されているので、ケース本体（１０）に導尿用カテーテル（３）を収容してからキャップ（２０）を装着するだけで、キャップ（２０）の嵌合部（２２）が導尿用カテーテル（３）の端部外周に嵌まる。
【００１３】
ケース本体（１０）とキャップ（２０）との装着は、ケース本体（１０）の装着部（１１）に設けた突起部（１１ａ）がキャップ（２０）の装着部（２１）の嵌合凹部（２１ａ）に嵌まって係合するようになっている。なお、ケース本体（１０）の装着部（１１）に嵌合凹部（２１ａ）に相当する凹部を形成し、キャップ（２０）の装着部（２１）に突起部（１１ａ）に相当する突起部を形成してもよい。また、それらの一方の装着部（１１，２１）に雄ねじを形成し、もう一方の装着部（２１，１１）に雌ねじを形成して螺合させてもよい。
【００１４】
導尿用カテーテル（３）には、尿道に挿入する先端部側に導尿孔（３２）が穿設されており、基端部は導尿した尿を流し出すための開口である排尿口（３３）となっている。この排尿口（３３）側を拡径して、または突出部を設けてストッパ（３５）を有するようにしたものを収容するカテーテルケース（１）では、前記ストッパ（３５）に当接することによって導尿用カテーテル（３）の挿入を制限して排尿口（３３）側の端部を露出させるようにした挿入制限部（１３）を有するようにしてもよい。
【００１５】
この場合、ケース本体（１０）に挿入する導尿用カテーテル（３）は、ストッパ（３５）が挿入制限部（１３）に当接したところで挿入が制限されてそれ以上には挿入することができず、導尿用カテーテル（３）の排尿口（３３）側の端部は露出するようになっている。したがって、キャップ（２０）をケース本体（１０）に係着させるときにキャップ（２０）内部の嵌合部（２２）が導尿用カテーテル（３）に当たっても導尿用カテーテル（３）はそれ以上にはケース本体（１０）内に挿入されないので、キャップ（２０）は、ケース本体（１０）に係着するとともにキャップ（２０）の嵌合部（２２）が排尿口（３３）側の端部外周に嵌まる。
【００１６】
以上のように、カテーテルケース（１）から導尿用カテーテル（３）を取り出すときは、キャップ（２０）をケース本体（１０）から外すだけでキャップ（２０）に端部が嵌合したままで導尿用カテーテル（３）をケース本体（１０）から抜き出すことができるので、使い勝手が極めてよい。
【発明の効果】
【００１７】
本発明にかかるカテーテルケースによれば、カテーテルケースに導尿用カテーテルを収容するときは、ケース本体に導尿用カテーテルを挿入してキャップをケース本体に装着するだけでよく、カテーテルケースから導尿用カテーテルを取り出すときは、キャップをケース本体から外すだけでキャップ内の嵌合部に導尿用カテーテルの端部が嵌合したままの状態で導尿用カテーテルをケース本体から抜き出すことができるので、使い勝手が極めてよい。
【００１８】
さらにまた、ケース本体に係着したキャップをカテーテルケースの軸を中心に回転させるよう捩じったときに、ケース本体およびキャップの少なくとも一方の装着部に設けたカム部により、キャップをケース本体の装着部から外す方向の力が発生するので、小さい力でも容易にキャップを外すことができる。
【発明を実施するための最良の形態】
【００１９】
以下、図面に基づき本発明の好適な一実施の形態を説明する。  
図１〜図６は本発明の一実施の形態を示している。  
カテーテルケース１は、チューブ状のケース本体１０と、このケース本体１０に着脱可能なキャップ２０とから成るものである。このケース本体１０は、特に尿道に挿通して導尿するための導尿用カテーテル３を収容するものである。
【００２０】
図４に示したように、導尿用カテーテル３は、尿道に挿入していく先端側である挿入端部３１が封止されており、この挿入端部３１の近傍側面には内部に通じる導尿孔３２が穿設されている。この挿入端部３１は、導尿用カテーテル３を尿道に挿通して使用するときには尿が内部に流入し、また、後述するように導尿用カテーテル３をカテーテルケース１に収容するときには、ケース本体１０内に入れてある消毒液が内部に流入する流入口の役目を果たす。
【００２１】
図４に例示した導尿用カテーテル３は、挿入端部３１とは反対側に流入した尿を排出する、端部が開口した排尿口３３を有している。この排尿口３３を有する端部は、拡径した拡径部分３４となっている。
【００２２】
この拡径部分３４により、後述するように導尿用カテーテル３をケース本体１０の内部に挿入して収容する際に、導尿用カテーテル３がケース本体１０に所定量以上は挿入しないようにして、排尿口３３側の端部が露出するようにすることができる。拡径部分３４のうち符号３５で示した肩部は、ストッパ３５である。
【００２３】
このストッパ３５は、導尿用カテーテル３をケース本体１０に挿入していくと後述するケース本体１０内部の挿入制限部１３に当接する。これにより、導尿用カテーテル３は、それ以上の挿入ができなくなる。
【００２４】
導尿用カテーテル３を収容するケース本体１０は、一端部が封止されている。このケース本体１０内には、収容した導尿用カテーテル３を浸す薬液が注入されている。もう一方の端部は、キャップ２０を係止させて係着するための装着部１１であり、その端面は、導尿用カテーテル３を挿入して収容するために開口した収容口１２である。
【００２５】
装着部１１の外径は、ケース本体１０の他の部分よりも小さくなっている。この装着部１１は、キャップ２０を装着するときにキャップ２０の内側に入る部分であり、外周面には、該外周面を一周するように突起部１１ａが形成されている。この突起部１１ａが後述するキャップ２０の内周面に形成された装着部２１の嵌合凹部２１ａに嵌合することによってキャップ２０がケース本体１０に係着される。
【００２６】
図１に示すように、収容口１２からケース本体１０の内奥に入り、装着部１１が終わる所の近傍には、前記の挿入制限部１３が形成されている。この挿入制限部１３は、装着部１１の内壁面の一部に形成されているが、内壁面を一周するように形成してもよい。導尿用カテーテル３をケース本体１０に挿入していくと、導尿用カテーテル３のストッパ３５が挿入制限部１３にぶつかるので、導尿用カテーテル３はそれ以上は挿入することができない。これにより、導尿用カテーテル３をケース本体１０に挿入したときに拡径部分３４が装着部１１から所定量だけ露出することになる。
【００２７】
ケース本体１０に係着させるキャップ２０は、導尿用カテーテル３の排尿口３３側の端部外周に嵌まる嵌合部２２を内底部に有している。
【００２８】
図１、図５および図６に示したキャップ２０の端部横断面から分かるように、嵌合部２２は、キャップ２０の内壁の４箇所から中心に向かって突出している。これら嵌合部２２によってキャップ２０の内部は、狭められた中心空間部２３が形成されているので、キャップ２０はこれら嵌合部２２を導尿用カテーテル３の排尿口３３側の端部外周に嵌めることができる。
【００２９】
この嵌合部２２は、導尿用カテーテル３を収容した状態にあるケース本体１０にキャップ２０を係着したときに、露出している導尿用カテーテル３の排尿口３３側の端部外周に嵌まる位置に形成されている。これにより、予め導尿用カテーテル３にキャップ２０を嵌めてからキャップ２０をケース本体１０に係着させる必要はなく、ケース本体１０に導尿用カテーテル３を収容してからキャップ２０をケース本体１０に係着させるだけでよい。なお、嵌合部２２は、キャップ２０の中心線方向に向かって、キャップ２０の内底部に近付くほどキャップ２０の内径を小さく絞るように形成してもよい。
【００３０】
ケース本体１０およびキャップ２０の装着部１１，２１の縁部には、ケース本体１０に係着したキャップ２０を軸を中心に回転させるよう捩じったときに該キャップ２０がケース本体１０の装着部１１から外れる方向の力を発生させるように曲線状に形成したカム部１４，２４が設けられている。
【００３１】
図５は、カテーテルケース１を側面から見た図であるが、反対側の側面にも同様の形状のカム部１４，２４が設けられている。これらケース本体１０側のカム部１４とキャップ２０側のカム部２４とを含めて装着部１１，２１のそれぞれの縁部はケース本体１０にキャップ２０を係着させたときに、全周にわたって互いに接するように形成されているが、少なくともカム部１４，２４が部分的に接触していればよい。
【００３２】
次に作用を説明する。  
導尿用カテーテル３をカテーテルケース１に収容するときは、ケース本体１０に装着してあるキャップ２０をケース本体１０から外す。ケース本体１０には通常、消毒液を入れてあるので、キャップ２０を外すには、キャップ２０側を上にしてキャップ２０をそのカテーテルケース１の長手方向の軸線を中心にして回転させるよう捩じればよい。
【００３３】
このようにキャップ２０を捩じると、ケース本体１０のカム部１４の曲線形状に従ってキャップ２０のカム部２４がケース本体１０のカム部１４からキャップ２０をケース本体１０の装着部１１から外す方向の力を受ける。これにより、ケース本体１０から容易にキャップ２０を外すことができる。
【００３４】
導尿用カテーテル３をケース本体１０内に収容するときには、導尿用カテーテル３の挿入端部３１側をケース本体１０の収容口１２に入れればよい。このとき、導尿用カテーテル３の挿入端部３１をケース本体１０の収容口１２に入れたら導尿用カテーテル３を持った手を離してもよい。導尿用カテーテル３は、そのストッパ３５がケース本体１０内部の挿入制限部１３に当接して、引っ掛かるようにして所定位置に止まる。
【００３５】
このようにして所定位置に止まった導尿用カテーテル３は、拡径部分３４の排尿口３３側が露出しており、それ以上にはケース本体１０内に入らない。後は、キャップ２０の装着部２１をケース本体１０の装着部１１に被せるようにしてキャップ２０をケース本体１０に押し付ければよい。
【００３６】
キャップ２０の内部に設けてある嵌合部２２は、導尿用カテーテル３を収容したケース本体１０にキャップ２０を装着したときに、導尿用カテーテル３の端部外周に嵌まる位置に形成されているので、ケース本体１０の装着部１１に設けた突起部１１ａがキャップ２０の装着部２１の嵌合凹部２１ａに嵌まって係合するところまでただ単にキャップ２０をケース本体１０に嵌めれば、同時に導尿用カテーテル３の拡径部分３４側端部がキャップ２０内部の中心空間部２３に嵌まる。
【００３７】
このように、導尿用カテーテル３をケース本体１０に収納してキャップ２０をケース本体１０に装着するだけで導尿用カテーテル３の拡径部分３４がキャップ２０に嵌まる。したがって、カテーテルケース１から導尿用カテーテル３を取り出すときは、キャップ２０をケース本体１０から外すだけでキャップ２０に端部が嵌合したままで導尿用カテーテル３をケース本体１０から取り出すことができるので、使い勝手が極めてよい。
【００３８】
導尿用カテーテル３をケース本体１０から取り出す際には、キャップ２０を捩じれば前記のようにケース本体１０のカム部１４とキャップ２０のカム部２４とによってキャップ２０にはケース本体１０から外れる方向の力が作用するので、キャップ２０は容易に外れる。
【００３９】
以上のように、カテーテルケース１への導尿用カテーテル３の収納およびカテーテルケース１からの導尿用カテーテル３の取り出しは極めて簡単容易に行える。このため、使用するたびに導尿用カテーテル３をカテーテルケース１に出し入れすることも面倒でないので、延いては、導尿用カテーテル３をカテーテルケース１に収容しないままにしておくことを防止して衛生面の向上を図ることができるとともに、導尿用カテーテル３の劣化を防止することができる。
【００４０】
さらにまた、ケース本体１０およびキャップ２０の少なくとも一方の装着部１１，２１にカム部１４，２４を形成することにより、ケース本体１０に係着したキャップ２０をカテーテルケース１の軸を中心に回転させるよう捩じったときに、キャップ２０をケース本体１０の装着部１１から外す方向の力が発生するので、小さい力でも容易にキャップ２０を外すことができる。
【００４１】
なお、前記のカテーテルケース１は、拡径部分３４を有する導尿用カテーテル３を収容するものとして説明したが、拡径部分３４のような拡径部を有しない導尿用カテーテルを収容する場合には、本体ケース１０の内部の長さを、収納する導尿用カテーテルを収容したときに装着部１１から端部が露出するような長さにし、キャップ２０の内底部に設ける嵌合部２２は、キャップ２０を本体ケース１０に係着したときに導尿用カテーテルの露出している端部の外周に嵌まる位置に形成しておけばよい。この場合には、ケース本体１０の内部に設けた挿入制限部１３は不要である。
【００４２】
また、ケース本体１０の装着部１１に突起部１１ａを形成する代わりに、キャップ２０の装着部２１に形成した嵌合凹部２１ａに相当する凹部を形成する。一方、キャップ２０の装着部２１に突起部１１ａに相当する突起部を形成してもよい。
【００４３】
また、それらの一方の装着部１１，２１に雄ねじを形成し、もう一方の装着部２１，１１に雌ねじを形成して本体ケース１０にキャップ２０が螺合によって装着できるようにしてもよい。
【図面の簡単な説明】
【００４４】
【図１】本発明の一実施の形態に係るカテーテルケースに導尿用カテーテルを収容した状態を示す縦断面図である。
【図２】本発明の一実施の形態に係るカテーテルケースのケース本体を示す側面図である。
【図３】本発明の一実施の形態に係るカテーテルケースのキャップに導尿用カテーテルが嵌合した状態を示す側面図である。
【図４】図３における導尿用カテーテルの縦断面図である。
【図５】本発明の一実施の形態に係るカテーテルケースを側面から見たときの縦断面および両端部の横断面を示す断面図である。
【図６】本発明の一実施の形態に係るカテーテルケースを平面から見たときの縦断面および両端部の横断面を示す断面図である。
【符号の説明】
【００４５】
１…カテーテルケース
３…導尿用カテーテル
１０…ケース本体
１１…装着部
１１ａ…突起部
１２…収容口
１３…挿入制限部
１４…カム部
２０…キャップ
２１…装着部
２１ａ…嵌合凹部
２２…嵌合部
２３…中心空間部
２４…カム部
３１…挿入端部
３２…導尿孔
３３…排尿口
３４…拡径部分
３５…ストッパ
【図１】
2008212408.tif 000003
【図２】
2008212408.tif 000004
【図３】
2008212408.tif 000005
【図４】
2008212408.tif 000006
【図５】
2008212408.tif 000007
【図６】
2008212408.tif 000008